(57)【要約】【課題】簡易な構成によって、フレーム部材へのフィルタエレメントの挿入性を向上させることができる。【解決手段】空調用フィルタエレメント１０は、襞折りされた濾材１１及び濾材１１の両端に固定された一対の端板１５を備える。フィルタエレメント１０における一対の端板１５の外側面には、フィルタエレメント１０に関する情報を表示する形状を有する弾性部材１６〜１８がそれぞれ突設されている。フレーム部材２０は、一対の端板１５にそれぞれ対向する一対の第１壁部２２及びこれら一対の第１壁部２２の間に位置し、濾材１１の襞の延伸方向に沿って延びる隔壁２４を備える。フィルタエレメント１０がフレーム部材２０に組み付けられた状態において、弾性部材１６〜１８が圧縮された状態で第１壁部２２に接している。【選択図】図１
2017006818.tif 000002
【特許請求の範囲】
【請求項１】
襞折りされた濾材及び前記濾材の両端に固定された一対の端板を備える空調用フィルタエレメントであって、
前記端板の少なくとも一方の外側面には、フィルタエレメントに関する情報を表示する弾性部材が突設されている、
空調用フィルタエレメント。
【請求項２】
前記弾性部材は一対の前記端板の外側面にそれぞれ設けられている、
請求項１に記載の空調用フィルタエレメント。
【請求項３】
前記弾性部材の厚さが下流側ほど小さくされている、
請求項１または請求項２に記載の空調用フィルタエレメント。
【請求項４】
前記弾性部材は、前記端板に固定された本体部と、前記端板よりも空調用空気の流れ方向の上流側に突出する摘み部とを有している、
請求項１〜請求項３のいずれか一項に記載の空調用フィルタエレメント。
【請求項５】
請求項１〜請求項４のいずれか一項に記載の空調用フィルタエレメントと、
一対の前記端板にそれぞれ対向する一対の対向壁及び一対の前記対向壁の間に位置し、前記濾材の襞の延伸方向に沿って延びる隔壁を備えるフレーム部材と、を備え、
前記フィルタエレメントが前記フレーム部材に組み付けられた状態において、前記弾性部材が圧縮された状態で前記対向壁に接している、
空調用フィルタエレメントの組み付け構造。
【発明の詳細な説明】
【技術分野】
【０００１】
本発明は、空調用フィルタエレメント及び空調用フィルタエレメントをフレーム部材に組み付ける組み付け構造に関する。
【背景技術】
【０００２】
例えば車載用の空調装置においては、ケースの内部が仕切壁によって内気通路と外気通路とに区画されている（例えば特許文献１参照）。特許文献１に記載された空調装置のケースの内部には、フィルタ仕切壁を有する枠体が着脱可能に設けられている。このフィルタ仕切壁によって枠体の内部が内気通路及び外気通路にそれぞれ対応する２つの通路に区画される。また、枠体の２つの通路には、２つのフィルタエレメントが着脱可能にそれぞれ設けられている。
【０００３】
また、従来、図５に示すように、フィルタエレメント１１０の濾材１１１の互いに隣り合う襞同士の間にフレーム部材１２０の隔壁１２４（上記フィルタ仕切壁に相当）を位置させるようにしたものがある。フレーム部材１２０は、フィルタエレメント１１０の外周面を取り囲む周壁１２１を備えている。周壁１２１における一対の第１壁部１２２と隔壁１２４の両端との間には、フィルタエレメント１１０の濾材１１１の両端に設けられた端板１１５を挿入するための間隙１２５が形成されている。また、周壁１２１における一対の第２壁部１２３の上端には、フレーム部材１２０からのフィルタエレメント１１０の浮き上がりを規制するための複数の爪部１２６がそれぞれ形成されている。
【０００４】
この場合、フィルタエレメント１１０をフレーム部材１２０に組み付ける際には、複数の爪部１２６を避ける必要がある。そのため、図６（ａ）に示すように、最初に、一対の第２壁部１２３のうち隔壁１２４から離間した側（同図の右側）の第２壁部１２３の内側にフィルタエレメント１１０の一端部を差し込む。続いて、隔壁１２４に近接した側（同図の左側）の第２壁部１２３の内側にフィルタエレメント１１０の他端部を差し込む。このようにして、フィルタエレメント１１０の濾材１１１の互いに隣り合う襞同士の間（位置Ａ）に隔壁１２４が内挿されることとなる。
【０００５】
また、従来、図５に示すように、フィルタエレメントの濾材の端面には、前記フィルタエレメントの部品番号や、フレーム部材に対してフィルタエレメントを組み付ける際の向きを示す矢印などの情報が印字された印字部１１２が設けられている。
【先行技術文献】
【特許文献】
【０００６】
【特許文献１】特開２００２―３１０４５３号公報
【発明の概要】
【発明が解決しようとする課題】
【０００７】
ところで、特許文献１に記載の空調装置においては、枠体の２つの通路に対応して２つのフィルタエレメントが必要となる。そのため、部品点数が増加することとなる。
また、図５に示すフィルタエレメント１１０の組み付け構造においては、以下の問題が生じるおそれがある。すなわち、図６（ｂ）に示すように、最初に、隔壁１２４に近接した側（同図の左側）の第２壁部１２３の内側にフィルタエレメント１１０の一端部を差し込むと、上記位置Ａではなく、その隣の襞同士の間に隔壁１２４が内挿されることがある。その結果、フィルタエレメント１１０の襞の間隔が不均一になり、フィルタエレメント１１０に求められる濾過能力を発揮することができないといった問題や、フィルタエレメント１１０の耐久性が低下するといった問題が生じるおそれがある。
【０００８】
本発明の目的は、簡易な構成によって、フレーム部材へのフィルタエレメントの挿入性を向上させることのできる空調用フィルタエレメントの組み付け構造を提供することにある。
【課題を解決するための手段】
【０００９】
上記目的を達成するための空調用フィルタエレメントは、襞折りされた濾材及び前記濾材の両端に固定された一対の端板を備える。前記端板の少なくとも一方の外側面には、フィルタエレメントに関する情報を表示する弾性部材が突設されている。
【００１０】
同構成によれば、端板の外側面に弾性部材が突設されている。このため、フィルタエレメントがフレーム部材に組み付けられた状態において、フレーム部材の対向壁に弾性部材が圧接されることとなる。これにより、フレーム部材からフィルタエレメントが浮き上がろうとすると、フレーム部材の対向壁と弾性部材との間に摩擦力が生じてフィルタエレメントの浮き上がりが規制される。したがって、フィルタエレメントの浮き上がり規制のための爪部の一部または全てをフレーム部材から省略することができ、フレーム部材の構成を簡素化することができる。また、フレーム部材の爪部の一部または全てが省略されることから、フレーム部材へのフィルタエレメントの挿入性を向上させることができる。なお、弾性部材はフィルタエレメントに関する情報を表示するものであるため、濾材に印字部を印字する従来の工程に代えて端板に弾性部材を形成する工程を行なうようにすれば、工数が増加することもない。
【発明の効果】
【００１１】
本発明によれば、簡易な構成によって、フレーム部材へのフィルタエレメントの挿入性を向上させることができる。
【図面の簡単な説明】
【００１２】
【図１】空調用フィルタエレメントの組み付け構造の一実施形態について、フィルタエレメントとフレーム部材とを上下に離間して示す斜視図。
【図２】同実施形態のフィルタエレメントの端板とフレーム部材とを中心として示す拡大断面図であって、（ａ）は、フレーム部材に対してフィルタエレメントを組み付ける途中の状態を示す図、（ｂ）は、フレーム部材に対してフィルタエレメントが組み付けられた状態を示す図。
【図３】変形例のフィルタエレメントの端板とフレーム部材とを中心として示す拡大断面図。
【図４】他の変形例のフィルタエレメントの端板を示す斜視図。
【図５】従来のフィルタエレメントとフレーム部材とを上下に離間して示す斜視図。
【図６】（ａ）は、隔壁から離間した側の周壁の内側に対してフィルタエレメントの一端部を最初に差し込む様子を示す断面図、（ｂ）は、隔壁に近接した側の周壁の内側に対してフィルタエレメントの一端部を最初に差し込む様子を示す断面図。
【発明を実施するための形態】
【００１３】
以下、図１及び図２を参照して、一実施形態について説明する。なお、以降において、空調用空気の流れ方向の上流側及び下流側をそれぞれ単に上流側及び下流側と称する。
図１に示すように、フィルタエレメント１０は、襞折りされた濾材１１と、濾材１１の両端、詳しくは襞の稜線の延伸方向の両端に例えばホットメルトなどの接着剤を介して固定された一対の端板１５とを備えており、平面視四角形状をなしている。濾材１１及び各端板１５はそれぞれ不織布によって形成されている。また、各端板１５は長方形状をなしている。
【００１４】
フレーム部材２０は、フィルタエレメント１０を収容するとともに空調装置のケース（図示略）の内部に着脱可能に設けられるものであり、フィルタエレメント１０の外周面を取り囲む平面視四角形状の周壁２１を備えている。周壁２１は、一対の端板１５にそれぞれ対向する一対の第１壁部２２と、これら第１壁部２２の両端に連結されるとともに互いに平行な一対の第２壁部２３とを有している。各第１壁部２２及び各第２壁部２３は長方形状をなしている。
【００１５】
一対の第１壁部２２の間には、第２壁部２３に沿って延びる、すなわち濾材１１の襞の延伸方向に沿って延びる隔壁２４が設けられている。一対の第１壁部２２と隔壁２４の両端との間には、フィルタエレメント１０の一対の端板１５を挿入するための間隙２５が形成されている。
【００１６】
隔壁２４は一対の第２壁部２３のうちの一方（同図の左方）に近接して設けられている。また、他方（同図の右方）の第２壁部２３と隔壁２４との間には、第２壁部２３に沿って延びる１本の格子２７が形成されており、この格子２７の両端は第１壁部２２の内壁に連結されている。また、一対の第１壁部２２の間には、第１壁部２２に沿って延びる２本の格子２８が互いに間隔をおいて形成されている。これら格子２８の両端は第２壁部２３の内壁に連結されている。これらの格子２７，２８はフレーム部材２０の内部における下流端（同図の下端）に位置しており、フィルタエレメント１０の下流側への移動を規制する。
【００１７】
フレーム部材２０は硬質樹脂材料によって一体形成されている。なお、このフレーム部材２０には、図５及び図６において示したような爪部１２６は設けられていない。
一対の端板１５の外側面には、フィルタエレメント１０に関する情報を表示する弾性部材１６〜１８がそれぞれ突設されている。
【００１８】
第１弾性部材１６は、フィルタエレメント１０をフレーム部材２０に対して組み付ける際の向きを示す矢印の形状、すなわち下流側を向く矢印の形状を有している。第１弾性部材１６は、端板１５に固定された本体部１６１と、本体部１６１の上流端から延びるとともに端板１５よりも上流側に突出する摘み部１６２とを有している。本体部１６１の上流端からの摘み部１６２の突出量は例えば５ｍｍ程度とされている。
【００１９】
第２弾性部材１７は、フィルタエレメント１０の部品番号（例えばＴＢＸＸＸ）を表示する文字列の形状を有している。
第３弾性部材１８は、フィルタエレメント１０の製造期間（例えば２０１５ＸＸ）を表示する数字列や文字列の形状を有している。
【００２０】
本実施形態では、これら弾性部材１６〜１８は発泡ウレタンのインクによって形成されており、発泡成形時に端板１５に一体化されている。
次に、本実施形態の作用について説明する。
【００２１】
図２（ａ）に示すように、フレーム部材２０に対してフィルタエレメント１０を組み付ける際には、端板１５の外側面に設けられた第１弾性部材１６を圧縮させながらフレーム部材２０の内部にフィルタエレメント１０が挿入される。なお、図示を省略するが、第２弾性部材１７及び第３弾性部材１８についても第１弾性部材１６と同様に圧縮されることとなる。
【００２２】
また、図２（ｂ）に示すように、フィルタエレメント１０がフレーム部材２０に組み付けられた状態においては、フレーム部材２０の第１壁部２２に弾性部材１６〜１８が圧接されることとなる。これにより、車両振動などによりフレーム部材２０からフィルタエレメント１０が浮き上がろうとすると、フレーム部材２０の第１壁部２２と弾性部材１６〜１８との間に摩擦力が生じてフィルタエレメント１０の浮き上がりが規制される。
【００２３】
また、フィルタエレメント１０を交換する際などには、両側の摘み部１６２を上流側且つフレーム部材２０の内側に向けて引っ張ることによって、第１壁部２２と弾性部材１６〜１８との間に生じる摩擦力が低減されてフレーム部材２０に組み付けられているフィルタエレメント１０が容易に取り外される。
【００２４】
以上説明した本実施形態に係る空調用フィルタエレメントの組み付け構造によれば、以下に示す効果が得られるようになる。
（１）フィルタエレメント１０における一対の端板１５の外側面には、フィルタエレメント１０に関する情報を表示する形状を有する弾性部材１６〜１８がそれぞれ突設されている。
【００２５】
こうした構成によれば、車両振動などによりフレーム部材２０からフィルタエレメント１０が浮き上がろうとすると、フレーム部材２０の第１壁部２２と弾性部材１６〜１８との間に摩擦力が生じてフィルタエレメント１０の浮き上がりが規制される。このため、フィルタエレメント１０の浮き上がり規制のための爪部をフレーム部材２０から省略することができ、フレーム部材２０の構成を簡素化することができる。また、フレーム部材２０の爪部が省略されることから、フレーム部材２０へのフィルタエレメント１０の挿入性を向上させることができる。なお、弾性部材１６〜１８はフィルタエレメント１０に関する情報を表示するものであるため、濾材１１に印字部を印字する従来の工程に代えて端板１５に弾性部材１６〜１８を形成する工程を行なうことにより、工数が増加することを回避することができる。
【００２６】
したがって、簡易な構成によって、フレーム部材２０へのフィルタエレメント１０の挿入性を向上させることができる。
（２）弾性部材１６〜１８は一対の端板１５の外側面にそれぞれ設けられている。このため、フレーム部材２０の一対の第１壁部２２とフィルタエレメント１０の両側に設けられた弾性部材１６〜１８との間に摩擦力がそれぞれ生じることとなる。したがって、フィルタエレメント１０の浮き上がりを効果的に規制することができる。
【００２７】
（３）第１弾性部材１６は、端板１５に固定された本体部１６１と、端板１５よりも空調用空気の流れ方向の上流側に突出する摘み部１６２とを有している。
こうした構成によれば、作業者は摘み部１６２を引っ張ることによってフレーム部材２０に組み付けられているフィルタエレメント１０を容易に取り外すことができる。
【００２８】
（４）弾性部材１６〜１８がフィルタエレメント１０に関する情報を表示する形状を有するものとされているため、いずれも不織布からなる濾材１１や端板１５に前記情報が印字される場合に比べて視認性を高めることができる。
【００２９】
＜変形例＞
なお、上記実施形態は、例えば以下のように変更することもできる。
・第１弾性部材１６の摘み部１６２の形状や大きさを変更することもできる。また、こうした摘み部１６２を省略することもできる。
【００３０】
・例えば弾性部材１６〜１８のうちの１つまたは２つを省略することもできる。
・図３に示すように、弾性部材３６の厚さを下流側ほど（同図の下側ほど）小さく設定することもできる。この場合、弾性部材３６の厚さが下流側ほど小さくされていることにより、フレーム部材２０に対してフィルタエレメント１０を組み付ける際に下流側ほど弾性部材３６の圧縮量が小さくなる。このため、フレーム部材２０の第１壁部２２と弾性部材３６との間に生じる摩擦力によってフィルタエレメント１０の組み付け作業性が損なわれることを抑制することができる。
【００３１】
・図４に示すように、フィルタエレメントに関する情報を表示する文字や記号などが印刷されたゴムシート４６を端板１５の外側面に接着するようにしてもよい。また、こうした情報を表示する文字や記号などの形状をゴムシートの表面に凹設するようにしてもよい。
【００３２】
また、フィルタエレメント１０の上流側が鉛直方向上側を向くようにフィルタエレメント１０がフレーム部材２０と共に空調装置の内部に配置される場合には、フィルタエレメント１０の上流側を向く矢印を「ＵＰ」の文字と共にゴムシートに印字するなどすればよい。
【００３３】
・一対の端板１５のうちの一方のみに弾性部材を設けるようにしてもよい。
【符号の説明】
【００３４】
１０，１１０…フィルタエレメント、１１，１１１…濾材、１５，１１５…端板、１６…第１弾性部材、１６１…本体部、１６２…摘み部、１７…第２弾性部材、１８…第３弾性部材、２０…フレーム部材、２１，１２１…周壁、２２，１２２…第１壁部（対向壁）、２３，１２３…第２壁部、２４，１２４…隔壁、２５，１２５…間隙、２７，２８…格子、３６…弾性部材、４６…ゴムシート、１２６…爪部。
【図１】
2017006818.tif 000003
【図２】
2017006818.tif 000004
【図３】
2017006818.tif 000005
【図４】
2017006818.tif 000006
【図５】
2017006818.tif 000007
【図６】
2017006818.tif 000008